(57)【要約】【課題】信号帯域幅を制御する通信システムにおいて、妨害波入力によっても通信スループットを低下させず、且つ低消費電力化を図ること。【解決手段】直交復調時のローカル信号周波数を希望波の中心周波数に設定するダイレクトコンバージョン受信機構成の第１受信モードと、直交復調時のローカル信号周波数を希望波のサイド周波数乃至希望波外に設定し第１のアナログベースバンド系１１５ａはＯＮとしディジタル直交復調部１１１はＯＦＦとする第１のＬｏｗ−ＩＦ受信機構成の第２受信モードと、直交復調時のローカル信号周波数を希望波のサイド周波数乃至希望波外に設定し第１のアナログベースバンド系１１５ａはＯＦＦとしディジタル直交復調部１１１はＯＮとする第２のＬｏｗ−ＩＦ受信機構成の第３受信モードとを、希望波と妨害波との妨害波比ａに応じて切り換えるスイッチ部１１０及び制御部１１３を具備する。【選択図】図１
2008098785.tif 000002
【特許請求の範囲】
【請求項１】
マルチバンドの受信信号を復調する受信機であって、
アナログ受信信号を直交復調するアナログ直交復調部と、
ディジタル変換された受信信号を直交復調するディジタル直交復調部と、
前記アナログ直交復調部と前記ディジタル直交復調部との間に設けられ、前記アナログ直交復調部によって得られた２系統の直交信号それぞれに対して、アナログベースバンド処理を施す第１及び第２のアナログベースバンド処理部と、
ディジタルベースバンド復調処理を行うことで、受信データを得るディジタルベースバンド復調部と、
受信モードを、
・第１の受信モード：前記アナログ直交復調部のローカル信号周波数を希望波の中心周波数に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、
・第２の受信モード：前記アナログ直交復調部のローカル信号周波数を希望波のサイド周波数乃至前記希望波外に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、
・第３の受信モード：前記アナログ直交復調部のローカル信号周波数を希望波の中心周波数に設定し、かつ前記第１又は第２のアナログベースバンド処理部の一方のみを動作させ、かつ前記ディジタル直交処理部を動作させ前記ディジタル直交処理部により得られた信号を前記ディジタルベースバンド復調部に供給するモード、
のいずれかに切り替える制御部と、
を具備する受信機。
【請求項２】
前記制御部は、前記ディジタルベースバンド復調部により得られた希望波と非希望波とのレベル比に基づいて、前記第１から第３の受信モードを切り替え制御する、
請求項１に記載の受信機。
【請求項３】
前記制御部は、受信信号が広帯域信号か狭帯域信号かに応じて、前記第１から第３の受信モードを切り替え制御する、
請求項１に記載の受信機。
【請求項４】
前記ディジタルベースバンド復調部は、ＯＦＤＭ信号を復調するＯＦＤＭ復調部であり、
前記制御部は、受信したＯＦＤＭ信号のフレーム構成情報を基に設定した一部のＯＦＤＭシンボル受信時に、前記ＯＦＤＭ復調部により得られた前記希望波と非希望波とのレベル比に基づいて、前記第１から第３の受信モードを切り替え制御する、
請求項１に記載の受信機。
【請求項５】
前記第１及び第２のアナログベースバンド処理部は、
信号の最大帯域幅の周波数帯域のみを通過させる高周波フィルタと、
前記無線信号の帯域幅に応じてフィルタ通過帯域を切り換えて前記ベースバンド信号の帯域外の信号成分を減衰させ且つ最大帯域幅の信号の受信時にフィルタ処理を行わないスルー機能を有する可変帯域フィルタと、
を具する請求項１に記載の受信機。
【請求項６】
所定周波数のローカル信号によって受信した無線信号をディジタル信号処理可能なベースバンド信号に直交復調する直交復調部と、
前記無線信号の帯域幅に応じてフィルタ通過帯域を切り換えて前記ベースバンド信号の帯域外の信号成分を減衰させる可変帯域フィルタと、
前記可変帯域フィルタ部から出力される周波数変換信号の信号レベルを可変して後段のＡＤ変換手段の入力レベルが一定になるように調整する入力レベル調整部と、
アナログ信号をディジタル信号に変換するＡＤ変換部と、
前記ＡＤ変換部から出力されるディジタル信号に対して直交復調処理及びＯＦＤＭ復調処理可能なディジタル信号処理部と、
前記無線信号の制御情報と前記ＯＦＤＭ復調処理時に得られる情報に基づいて、前記直交復調部のローカル信号周波数、前記可変帯域フィルタの通過帯域、前記ディジタル信号処理部の直交復調処理の有無、前記各部の電源電圧の有無を選択する制御部と、
を具備する受信機。
【発明の詳細な説明】
【技術分野】
【０００１】
本発明は、受信機に関し、特に、ユーザの要求及び通信環境に応じて信号の帯域幅を制御して通信する次世代移動体通信システムにおけるマルチバンド受信機として有用な受信機に関する。
【背景技術】
【０００２】
近年、移動体通信システムにおいて周波数利用効率を高めるべく、ユーザの要求及び通信環境に応じて帯域幅の異なる信号を通信する通信システムが検討されている（非特許文献１参照）。非特許文献１においては、最大無線帯域幅２０ＭＨｚの通信システムが報告されている。
【０００３】
また、無線帯域幅が２０ＭＨｚ以上の広い帯域を用いた伝送方式として、ＯＦＤＭ（Orthogonal Frequency Division Multiplexing：直交周波数分割多重）方式が知られている（非特許文献２及び非特許文献３参照）。ＯＦＤＭ信号は、直交する複数のサブキャリアを用いてディジタル情報を伝送する周波数分割多重のディジタル変調方式であり、マルチパスに強い、周波数利用効率が高い等の特徴を有している。
【０００４】
また、従来、任意の帯域幅の信号を受信可能な受信機として、例えば、特許文献１に開示されたものが知られている。
【０００５】
このような従来の受信機の構成例を図１２に示す。図１２は、可変帯域ディジタルフィルタを備えたＬｏｗ−ＩＦ方式の受信機の構成を示すブロック図である。
【０００６】
図１２に示す受信機１０は、アンテナ１１、ＲＦフィルタ部１２、直交復調部１３、固定ローカル発振部１４、イメージ抑圧部１５、Ａ／Ｄ（Analog to Digital）変換部１６、直交復調部１７、可変ローカル発振部１８、チャネル選択部１９を備えている。
【０００７】
図１２において、アンテナ１１は、受信した受信信号をＲＦフィルタ部１２に出力する。
【０００８】
ＲＦフィルタ部１２は、アンテナ１１から入力された受信信号のうち通信に用いる周波数帯域のＲＦ信号のみを通し、通過したＲＦ信号を直交復調部１３に出力する。
【０００９】
固定ローカル発振部１４は、直交復調のための基準信号（ローカル発振信号）を生成し、生成した基準信号を直交復調部１３に出力する。
【００１０】
直交復調部１３は、固定ローカル発振部１４から入力されるローカル発振信号を用いてＲＦフィルタ部１２から入力されたＲＦ信号の全チャネルを、低い周波数帯域、例えばＤＣ近傍の周波数に直交変換し、直交変換した信号をイメージ抑圧部１５に出力する。
【００１１】
イメージ抑圧部１５は、直交復調部１３の直交復調処理に付随する処理部であり、直交復調部１３から入力された信号のイメージ成分を抑圧し、抑圧した信号をＡ／Ｄ変換部１６に出力する。
【００１２】
Ａ／Ｄ変換部１６は、イメージ抑圧部１５から入力された信号をディジタル信号に変換し、変換したディジタル信号を直交復調部１７に出力する。
【００１３】
可変ローカル発振部１８は、所望のチャネルに対応した発振周波数の基準信号（ローカル発振信号）を生成し、生成した基準信号を直交復調部１７に出力する。
【００１４】
直交復調部１７は、ディジタル処理部であり、可変ローカル発振部１８から入力される直交復調のための基準信号であるローカル発振信号を用いて、Ａ／Ｄ変換部１６から入力されたディジタル信号をディジタル処理により直交復調し、直交復調した信号をチャネル選択部１９に出力する。
【００１５】
チャネル選択部１９は、例えばディジタルフィルタで構成されるディジタル処理部であり、直交復調部１７から入力された信号から所望のチャネルの信号を選択して出力する。
【００１６】
このように、受信機１０においては、可変ローカル発振部１８によって受信信号の帯域に応じた基準信号を形成することで、帯域幅の異なる信号を受信した場合でも、直交復調部１７でその帯域幅に応じた直交復調処理を行うことができるので、マルチバンドの受信信号を復調することができるようになっている。
【００１７】
従来の受信機の他の構成例を図１３に示す。図１３は、従来の他のＬｏｗ−ＩＦ方式の受信機の構成を示すブロック図である。
【００１８】
図１３に示す受信機２０は、図１２に示した受信機１０のイメージ抑圧部１５とＡ／Ｄ変換部１６との配設位置が相互に異なるのみで、図１２に示した受信機１０と同等の機能を備えている。
【００１９】
図１２及び図１３に示す受信機１０，２０のイメージ抑圧部１５は、それぞれ同様の動作をディジタル処理によって行う。
【００２０】
次に、上述のように構成された従来の受信機１０，２０の動作について、図１４のスペクトラム図を参照して説明する。
【００２１】
図１４（ａ）は受信信号、図１４（ｂ）はイメージ抑圧部１５の出力、図１４（ｃ）はチャネル選択部１９のフィルタ特性、図１４（ｄ）はチャネル選択部１９の出力を示している。
【００２２】
ここで、受信対象とする無線通信システムのチャネルは、図１４（ａ）に示すチャネル１（ＣＨ１）〜チャネル６（ＣＨ６）であるものとする。また、図１４において、ＣＨ４を希望チャネル（希望ＣＨ）とし、ＣＨ１〜ＣＨ６の中から希望チャネルを選択受信するものとする。
【００２３】
受信機１０，２０においては、固定ローカル発振部１４の周波数Ｌｏを、図１４（ａ）に示すように、希望チャネル（希望ＣＨ）の帯域の範囲外に設定する。そして、受信不要なその他のチャネルのうち、少なくとも所望波のイメージ成分を含む帯域を、図１４（ｂ）に示すように、イメージ抑圧部１５によって抑圧する。
【００２４】
イメージ抑圧部１５の出力は、Ａ／Ｄ変換部１６に入力され、Ａ／Ｄ変換部１６において、図１４（ｃ）に示す全チャネルの受信信号が一括してＡ／Ｄ変換される。そして、Ａ／Ｄ変換部１６でＡ／Ｄ変換された信号は、直交復調部１７に入力される。
【００２５】
直交復調部１７は、可変ローカル発振部１８からのローカル発振信号を用いて、希望チャネル（図１４の例ではＣＨ４）の受信信号を直交復調する。これにより、図１４（ｄ）に示すように、希望ＣＨ４の受信信号が復調される。
【００２６】
チャネル選択部１９は、任意に帯域幅を可変できるディジタルフィルタで構成されており、直交復調部１７で直交復調された出力から希望チャネル（ＣＨ４）の信号を選択して出力する。
【００２７】
これにより、受信機１０，２０は、任意の帯域幅の信号を受信することが可能となる。
【００２８】
このような任意の帯域幅を受信することが可能な他の方式の受信機として、可変帯域アナログローパスフィルタを備えたダイレクトコンバージョン方式の受信機がある。図１５は、従来のダイレクトコンバージョン方式の受信機の構成を示すブロック図である。
【００２９】
図１５に示す受信機３０は、アンテナ３１、無線信号受信部３２、ＡＧＣ（Auto Gain Control）部３３ａ，３３ｂ、可変帯域ローパスフィルタ部３４ａ，３４ｂ、Ａ／Ｄ変換部３５ａ，３５ｂ、ディジタル信号処理部３６を備えている。
【００３０】
無線信号受信部３２は、ＲＦフィルタ部３２１と、低雑音増幅部３２２と、直交復調部３２３を備えている。直交復調部３２３は、ローカル周波数を基準に、増幅後の受信信号を直交復調するようになっている。なお、このローカル周波数は、受信信号の帯域に応じて可変制御できるようになっている。
【００３１】
ディジタル信号処理部３６は、ＡＧＣ部３３ａ，３３ｂと可変帯域ローパスフィルタ部３４ａ，３４ｂを制御する制御部３６１と、信号復調部３６２とを備えている。
【００３２】
図１５において、無線信号受信部３２は、アンテナ３１が受信した信号に対して、信号増幅やダウンコンバート等の所定の無線処理を施すと共に、Ｉ（同相）成分信号、Ｑ（直交）成分信号に変換して出力する。無線信号受信部３２から出力されたＩ・Ｑ信号は、可変帯域ローパスフィルタ部３４ａ，３４ｂにそれぞれ入力される。
【００３３】
可変帯域ローパスフィルタ部３４ａ，３４ｂは、例えば図１６に示すような、特性ａ、特性ｂ、特性ｃ、の３つのフィルタ特性に切り換えることができるようになっている。
【００３４】
このように構成された受信機３０の動作について、図１７に示すスペクトル図を参照して説明する。図１７（ａ）、図１７（ｂ）、図１７（ｃ）は、帯域幅の異なる希望ＣＨの受信信号を示している。
【００３５】
受信機３０は、図１７（ａ）に示す受信信号の場合には、無線信号受信部３２に入力するローカル周波数をｆ１に設定すると共に、可変帯域ローパスフィルタ３４ａ、３４ｂを特性ａに設定することで、希望ＣＨの受信信号を受信することが可能となる。
【００３６】
同様に、図１７（ｂ）に示す受信信号の場合には、無線信号受信部３２に入力するローカル周波数をｆ２に設定すると共に、可変帯域ローパスフィルタ３４ａ、３４ｂを特性ｂに設定することで、希望ＣＨの受信信号を受信することが可能となる。
【００３７】
さらに、図１７（ｃ）に示す受信信号の場合には、無線信号受信部３２に入力するローカル周波数をｆ３に設定すると共に、可変帯域ローパスフィルタ３４ａ、３４ｂを特性ｃに設定することで、希望ＣＨの受信信号を受信することが可能となる。
【非特許文献１】3GPP TR 25.814 V1.3
【非特許文献２】ＩＴＵ−ＲＳ奇書（ＴＧ１１／３）
【非特許文献３】テレビジョン学会研究報告Vol.17，No.54，p7-12，BCS 93-33(Sep.1993)
【特許文献１】特許第３６１５０９９号公報
【発明の開示】
【発明が解決しようとする課題】
【００３８】
しかしながら、前記従来のＬｏｗ−ＩＦ方式の受信機においては、希望波の信号レベルに対して非希望波である妨害波の信号レベルが大きい場合、ＡＤ変換部のダイナミックレンジが非希望波に割り当てられるため、希望波の信号品質が劣化するという課題があった。
【００３９】
また、従来のＬｏｗ−ＩＦ方式の受信機においては、基本構成以外に、イメージ周波数帯を抑圧するためのイメージリジェクションフィルタを備える必要があるため、回路規模が大きくなるという課題があった。
【００４０】
また、従来のダイレクトコンバージョン方式の受信機においては、一般に、ＤＣオフセットによる受信品質の劣化を防ぐためにＤＣカット構成を採る必要がある。このため、従来のダイレクトコンバージョン方式の受信機では、信号帯域幅が狭い信号を受信する場合、ＤＣ近傍の信号品質が劣化して通信スループットが低下するという課題があった。
【００４１】
また、従来のイメージリジェクションフィルタを備えたＬｏｗ−ＩＦ方式の受信機、及びダイレクトコンバージョン方式の受信機においては、２系統のアナログベースバンド系を動作させる必要があるため、消費電力が大きくなるという課題があった。
【００４２】
本発明は、かかる点に鑑みてなされたもので、信号帯域幅を制御する通信システムにおいて、妨害波入力による通信スループットの低下を防止することができ、且つアナログベースバンド系による電力消費を低減することができる受信機を提供することを目的とする。
【課題を解決するための手段】
【００４３】
かかる課題を解決するため、マルチバンドの受信信号を復調する受信機であって、アナログ受信信号を直交復調するアナログ直交復調部と、ディジタル変換された受信信号を直交復調するディジタル直交復調部と、前記アナログ直交復調部と前記ディジタル直交復調部との間に設けられ、前記アナログ直交復調部によって得られた２系統の直交信号それぞれに対して、アナログベースバンド処理を施す第１及び第２のアナログベースバンド処理部と、ディジタルベースバンド復調処理を行うことで、受信データを得るディジタルベースバンド復調部と、受信モードを、・第１の受信モード：前記アナログ直交復調部のローカル信号周波数を希望波の中心周波数に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、・第２の受信モード：前記アナログ直交復調部のローカル信号周波数を希望波のサイド周波数乃至前記希望波外に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、・第３の受信モード：前記アナログ直交復調部のローカル信号周波数を希望波の中心周波数に設定し、かつ前記第１又は第２のアナログベースバンド処理部の一方のみを動作させ、かつ前記ディジタル直交処理部を動作させ前記ディジタル直交処理部により得られた信号を前記ディジタルベースバンド復調部に供給するモード、のいずれかに切り替える制御部と、を具備する構成を採る。
【発明の効果】
【００４４】
本発明によれば、信号帯域幅を制御する通信システムにおいて、妨害波入力による通信スループットの低下を防止することができ、且つアナログベースバンド系による電力消費を低減することができるので、受信品質を劣化させることなく低消費電力化を図ることができる。
【発明を実施するための最良の形態】
【００４５】
以下、本発明の実施の形態に係る受信機について、図面を参照して詳細に説明する。本発明の実施の形態に係る受信機は、希望波と妨害波とのレベル比（Ｕ／Ｄ比）に応じて受信モードを切り換えることで、妨害波による信号品質の劣化を抑えつつ低消費電力化を図ることを特徴としている。
【００４６】
（実施の形態１）
図１は、本発明の実施の形態１に係る受信機の構成を示すブロック図である。
【００４７】
図１に示すように、本例の受信機１００は、アンテナ１０１、アンテナ共用部１０２、低雑音増幅部１０３、直交復調部１０４、可変帯域ローパスフィルタ１０５ａ，１０５ｂ、ＡＧＣ部１０６ａ，１０６ｂ、Ａ／Ｄ変換部１０７ａ，１０７ｂ、ディジタル信号処理部１０８を備えている。
【００４８】
ディジタル信号処理部１０８は、スイッチ部１１０、ディジタル直交復調部１１１、ＯＦＤＭ復調部１１２、制御部１１３、検波部１１４を備えている。
【００４９】
図１において、アンテナ１０１は、無線信号を受信し、受信した受信信号をアンテナ共用部１０２に出力する。
【００５０】
アンテナ共用部１０２は、アンテナ１０１を図１に示す受信系と図示しない送信系とで共用させると共に、アンテナから入力される受信信号の非希望波である妨害波を抑圧するように動作し、妨害波を抑圧した受信信号を低雑音増幅部１０３に出力する。
【００５１】
低雑音増幅部１０３は、アンテナ共用部１０２から入力された受信信号を低雑音で増幅し、増幅した信号を直交復調部１０４に出力する。
【００５２】
直交復調部１０４は、低雑音増幅部１０３から入力された信号を、基準信号であるローカル発信信号を用いて直交復調して、２系統のアナログベースバンド信号に変換し、変換した２系統のアナログベースバンド信号を、第１のアナログベースバンド系１１５ａの可変帯域ローパスフィルタ１０５ａ、及び第２のアナログベースバンド系１１５ｂの可変帯域ローパスフィルタ１０５ｂに、それぞれ出力する。
【００５３】
第１及び第２のアナログベースバンド系１１５ａ，１１５ｂの可変帯域ローパスフィルタ１０５ａ，１０５ｂは、直交復調部１０４から入力された２系統のアナログベースバンド信号に対してそれぞれ不要成分を抑圧するように動作し、フィルタを構成している素子の一部を複数段階で切り換えることで帯域幅を切り換えたアナログベースバンド信号を、ＡＧＣ部１０６ａ，１０６ｂにそれぞれ出力する。
【００５４】
第１及び第２のアナログベースバンド系１１５ａ，１１５ｂのＡＧＣ部１０６ａ，１０６ｂは、可変帯域ローパスフィルタ１０５ａ，１０５ｂから入力されたアナログベースバンド信号の振幅レベルを、後段のＡ／Ｄ変換部１０７ａ，１０７ｂにおいて最適な入力レベルになるように調整し、振幅調整したアナログベースバンド信号をＡ／Ｄ変換部１０７ａ，１０７ｂに出力する。
【００５５】
第１及び第２のアナログベースバンド系１１５ａ，１１５ｂのＡ／Ｄ変換部１０７ａ，１０７ｂは、ＡＧＣ部１０６ａ，１０６ｂから入力される振幅調整されたアナログベースバンド信号をＡ／Ｄ変換し、Ａ／Ｄ変換したベースバンド信号をディジタル信号処理部１０８に出力する。
【００５６】
ディジタル信号処理部１０８のスイッチ部１１０は、第１のアナログベースバンド系１１５ａのＡ／Ｄ変換部１０７ａから入力されるベースバンド信号の出力経路を、ディジタル直交復調部１１１に出力する出力経路と、ＯＦＤＭ復調部１１２に出力する出力経路とのいずれかに切り換えるように、制御部１１３により切り換え制御される。
【００５７】
ディジタル直交復調部１１１は、第１のアナログベースバンド系１１５ａのＡ／Ｄ変換部１０７ａから入力されたベースバンド信号を直交復調し、直交復調により生成したＩ、Ｑ信号をＯＦＤＭ復調部１１２に出力する。
【００５８】
ＯＦＤＭ復調部１１２は、第１及び第２のアナログベースバンド系１１５ａ，１１５ｂのＡ／Ｄ変換部１０７ａ，１０７ｂ、又はディジタル直交復調部１１１から入力されたＯＦＤＭ信号を、ＦＦＴ処理等を行って復調する。なお、ＯＦＤＭ復調部１１２は、ＦＦＴ帯域幅を切り換えることができ、通信システムにおける最大帯域幅までの信号処理が可能となっている。
【００５９】
制御部１１３は、第２のアナログベースバンド系１１５ｂの可変帯域ローパスフィルタ部１０５ｂ、ＡＧＣ部１０６ｂのＯＮ／ＯＦＦ制御、ディジタル信号処理部１０８のスイッチ部１１０の切り換え制御、及びディジタル信号処理部１０８のディジタル直交復調部１１１のＯＮ／ＯＦＦ制御を行う。
【００６０】
また、制御部１１３は、直交復調部１０４のローカル発振信号の周波数制御、第１及び第２のアナログベースバンド系１１５ａ，１１５ｂの可変帯域ローパスフィルタ部１０５ａ、１０５ｂの帯域幅制御、ＡＧＣ部１０６ａ、１０６ｂのゲイン制御、及びディジタル信号処理部１０８のディジタル直交復調部１１１のローカル発振信号の周波数制御を行う。
【００６１】
本例の受信機１００におけるディジタル信号処理部１０８のＯＦＤＭ復調部１１２は、希望波と妨害波とのレベル比（Ｕ／Ｄ比）を求めるように動作する検波部１１４を備えている。
【００６２】
次に、本例の受信機１００の受信機構成について説明する。
【００６３】
本例の受信機１００は、ローカル周波数制御、フィルタ帯域幅制御、ディジタル信号処理部制御を行うことで、（１）ダイレクトコンバージョン受信モード、（２）第１のＬｏｗ−ＩＦ受信モード、（３）第２のＬｏｗ−ＩＦ受信モード、の３つの受信モードを任意に設定することが可能な受信機構成を有している。以下に、これら３つの受信モード時のそれぞれの受信機構成について説明する。
【００６４】
図２は、本発明の実施の形態１に係る受信機のダイレクトコンバージョン受信モード時の受信機構成を示すブロック図である。図３は、本発明の実施の形態１に係る受信機の第１のＬｏｗ−ＩＦ受信モード時の受信機構成を示すブロック図である。図４は、本発明の実施の形態１に係る受信機の第２のＬｏｗ−ＩＦ受信モード時の受信機構成を示すブロック図である。
【００６５】
まず、図２に示すダイレクトコンバージョン受信モード（以下、これを「第１受信モード」という）時の受信機構成（ＤＣＲ構成）を、受信機１００Ａとして、図５に示すスペクトラム図を用いて説明する。
【００６６】
図２に示すように、第１受信モード時の受信機１００Ａは、図１に示した受信機１００の設定を変えたものであり、受信機１００の各部と同じ機能を有する構成については、図１と同一の符号を付してその説明を省略する。
【００６７】
第１受信モード時の受信機１００Ａにおいては、直交復調部１０４のローカル信号周波数を希望波の中心周波数に設定し、可変帯域ローパスフィルタ１０５ａ、１０５ｂの帯域を、図５に示すスペクトラムのＡ［Ｈｚ］に設定する。また、ディジタル信号処理部１０８のスイッチ部１１０は、第１のアナログベースバンド系１１５ａのＡ／Ｄ変換部１０７ａから入力されるベースバンド信号をＯＦＤＭ復調部１１２に出力するように、制御部１１３によりベースバンド信号の出力経路を切り換える。
【００６８】
また、第１受信モード時の受信機１００Ａにおいては、制御部１１３によるＯＮ／ＯＦＦ制御により、第２のアナログベースバンド系１１５ｂはＯＮとし、ディジタル直交復調部１１１はＯＦＦとする。
【００６９】
図５に、第１受信モード時の受信機１００Ａにおける可変帯域ローパスフィルタ１０５ａ、１０５ｂの妨害波抑圧特性を示す。図５に示すように、第１受信モード時の受信機１００Ａにおいては、可変帯域ローパスフィルタ１０５ａ、１０５ｂによって妨害波１、妨害波２、妨害波３、妨害波４が抑圧されることが分かる。
【００７０】
このように、第１受信モード時の受信機１００Ａにおいては、可変帯域ローパスフィルタ１０５ａ、１０５ｂによって妨害波１、妨害波２、妨害波３、妨害波４が抑圧されるので、Ａ／Ｄ変換部１０７ａ、１０７ｂには、希望波のみが入力される。
【００７１】
これにより、第１受信モード時の受信機１００Ａにおいては、ＯＦＤＭ復調部１１２は、Ａ／Ｄ変換部１０７ａ、１０７ｂから入力される希望波を含んだ帯域をＦＦＴ処理し、希望波のみを復調する。
【００７２】
なお、第１受信モード時の受信機１００Ａにおいては、第１及び第２のアナログベースバンド系１１５ａ，１１５ｂのＡ／Ｄ変換部１０７ａ、１０７ｂの出力信号がＦＦＴ処理帯域に対して大きい場合には、ＯＦＤＭ復調部１１２内にてＦＦＴ処理前にデシメーション（フィルタ）処理を行う。
【００７３】
次に、図３に示す第１のＬｏｗ−ＩＦ受信モード（以下、これを「第２受信モード」という）時の受信機構成を、受信機１００Ｂとして、図６に示すスペクトラム図を用いて説明する。
【００７４】
図３に示すように、第２受信モード時の受信機１００Ｂは、図１に示した受信機１００の設定を変えたものであり、受信機１００の各部と同じ機能を有する構成については、図１と同一の符号を付してその説明を省略する。
【００７５】
第２受信モード時の受信機１００Ｂは、直交復調部１０４のローカル信号周波数を希望波のサイド周波数乃至希望波外に設定し、可変帯域ローパスフィルタ１０５ａ、１０５ｂの帯域を図６に示すスペクトラムのＢ［Ｈｚ］に設定する。また、ディジタル信号処理部１０８のスイッチ部１１０は、第１のアナログベースバンド系１１５ａのＡ／Ｄ変換部１０７ａから入力されるベースバンド信号をＯＦＤＭ復調部１１２に出力するように、制御部１１３によりベースバンド信号の出力経路を切り換える。
【００７６】
また、第２受信モード時の受信機１００Ｂにおいては、制御部１１３によるＯＮ／ＯＦＦ制御により、第２のアナログベースバンド系１１５ｂはＯＮとし、ディジタル直交復調部１１１はＯＦＦとする。
【００７７】
図６に、第２受信モード時の受信機１００Ｂにおける可変帯域ローパスフィルタ１０５ａ、１０５ｂの妨害波抑圧特性を示す。図６に示すように、第２受信モード時の受信機１００Ｂにおいては、可変帯域ローパスフィルタ１０５ａ、１０５ｂによって妨害波３、妨害波４が抑圧されることが分かる。
【００７８】
このように、第２受信モード時の受信機１００Ｂにおいては、可変帯域ローパスフィルタ１０５ａ、１０５ｂによって妨害波３、妨害波４が抑圧されるので、Ａ／Ｄ変換部１０７ａ、１０７ｂには、希望波、妨害波１、及び妨害波２が入力される。
【００７９】
これにより、第２受信モード時の受信機１００Ｂにおいては、ＯＦＤＭ復調部１１２は、Ａ／Ｄ変換部１０７ａ、１０７ｂから入力される希望波、妨害波１、及び妨害波２を含んだ帯域をＦＦＴ処理し、希望波と妨害波１及び妨害波２とを分離して、希望波のみ復調する。
【００８０】
なお、第２受信モード時の受信機１００Ｂにおいても、第１受信モード時の受信機１００Ａの場合と同様に、第１及び第２のアナログベースバンド系１１５ａ，１１５ｂのＡ／Ｄ変換部１０７ａ、１０７ｂの出力信号がＦＦＴ処理帯域に対して大きい場合には、ＯＦＤＭ復調部１１２内にてＦＦＴ処理前にデシメーション（フィルタ）処理を行う。
【００８１】
次に、図４に示す第２のＬｏｗ−ＩＦ受信モード（以下、これを「第３受信モード」という）時の受信機構成を、受信機１００Ｃとして、図７に示すスペクトラム図を用いて説明する。
【００８２】
図４に示すように、第３受信モード時の受信機１００Ｃは、図１に示した受信機１００の設定を変えたものであり、受信機１００の各部と同じ機能を有する構成については、図１と同一の符号を付してその説明を省略する。
【００８３】
第３受信モード時の受信機１００Ｃは、直交復調部１０４のローカル信号周波数を希望波のサイド周波数乃至希望波外に設定し、可変帯域ローパスフィルタ１０５ａ、１０５ｂの帯域を図７に示すＢ［Ｈｚ］に設定する。また、ディジタル信号処理部１０８のスイッチ部１１０は、第１のアナログベースバンド系１１５ａのＡ／Ｄ変換部１０７ａから入力されるベースバンド信号をディジタル直交復調部１１１に出力するように、制御部１１３によりベースバンド信号の出力経路を切り換える。
【００８４】
また、第３受信モード時の受信機１００Ｃにおいては、制御部１１３によるＯＮ／ＯＦＦ制御により、第２のアナログベースバンド系１１５ｂはＯＦＦとし、ディジタル直交復調部１１１はＯＮとする。
【００８５】
図７に、第３受信モード時の受信機１００Ｃにおける可変帯域ローパスフィルタ１０５ａ、１０５ｂの妨害波抑圧特性を示す。図７に示すように、第３受信モード時の受信機１００Ｃにおいては、可変帯域ローパスフィルタ１０５ａ、１０５ｂによって妨害波３、４が抑圧されることが分かる。
【００８６】
また、図７に示すように、妨害波１及び妨害波２は、希望波に対して十分に低いレベルになっている。
【００８７】
このように、第３受信モード時の受信機１００Ｃにおいては、可変帯域ローパスフィルタ１０５ａ、１０５ｂによって妨害波３、妨害波４が抑圧されるので、Ａ／Ｄ変換部１０７ａ、１０７ｂには、希望波、及び希望波に対してレベルの低い妨害波１、妨害波２が入力される。
【００８８】
図４に示すように、第３受信モード時の受信機１００Ｃにおいては、第１のアナログベースバンド系１１５ａのＡ／Ｄ変換部１０７ａから入力されたベースバンド信号をディジタル直交復調部１１１で直交復調し、直交復調により生成したＩ・Ｑ信号をＯＦＤＭ復調部１１２に出力する。
【００８９】
ここで、ベースバンド信号に含まれる妨害波１及び妨害波２は、希望波に対して十分レベルが低いので、希望波に多重されても問題なくディジタル直交復調部１１１で復調することができる。
【００９０】
これにより、第３受信モード時の受信機１００Ｃにおいては、ＯＦＤＭ復調部１１２は、ディジタル直交復調部１１１から入力される希望波を含んだ帯域をＦＦＴ処理し、希望波のみを復調する。
【００９１】
なお、第３受信モード時の受信機１００Ｃにおいては、第１のアナログベースバンド系１１５ａのＡ／Ｄ変換部１０７ａの出力信号がＦＦＴ処理帯域に対して大きい場合には、ＯＦＤＭ復調部１１２内にてＦＦＴ処理前にデシメーション（フィルタ）処理を行う。
【００９２】
次に、上述した各受信モードの特徴について説明する。図８は、図２に示すダイレクトコンバージョン受信モード時の受信機構成、図３に示す第１のＬｏｗ−ＩＦ受信モード時の受信機構成、図４に示す第２のＬｏｗ−ＩＦモード時の受信機構成のそれぞれの特徴を示す表である。
【００９３】
図８に示す表は、各受信モード時における受信機構成の各項目における優劣を、「◎」、「○」、「△」、「×」の記号で示しており、「◎」の記号が最も特性が優れており、以下、「○」、「△」、「×」の記載順で特性が低くなることを表している。
【００９４】
また、図８において、Ｕ／Ｄ比は、非希望波である妨害波と希望波とのレベル比を示しており、「大」の表記は非希望波である妨害波が希望波に比べて大きいことを示す。
【００９５】
図８に示すように、上述した第１受信モード時のダイレクトコンバージョン受信機構成（ＤＣＲ構成）の受信機１００Ａでは、アナログフィルタによって妨害波（非希望波）を抑圧できるので、Ｕ／Ｄ比によって信号品質が劣化することは無い。
【００９６】
しかしながら、このような第１受信モード時のＤＣＲ構成の受信機１００Ａでは、ＤＣオフセットを抑圧するため一般にＤＣカット構成を採っている。このため、第１受信モード時のＤＣＲ構成の受信機１００Ａでは、ＤＣ近傍信号の品質が劣化し、特に狭帯域設定時に信号品質劣化が顕著化する。
【００９７】
ところで、一般に、アクティブフィルタにおいては、信号帯域幅の増加に伴い、消費電力が大きくなる。
【００９８】
従って、第１受信モード時のＤＣＲ構成においては、アナログベースバンド帯域を信号帯域幅の１／２にできるので、第２受信モード時の第１のＬｏｗ−ＩＦ受信機構成に比べ消費電力を小さくできる。しかし、第１受信モード時のＤＣＲ構成においては、Ｉ・Ｑの２系統の第１及び第２のアナログベースバンド系１１５ａ，１１５ｂが必要なため、１系統のアナログベースバンド系１１５ａのみを用いる第３受信モード時の第２のＬｏｗ−ＩＦ受信機構成に比べ消費電力が大きくなる。
【００９９】
また、第２受信モード時の第１のＬｏｗ−ＩＦ受信機構成では、ＩＦ信号をＡ／Ｄ変換するので、第１モード時のＤＣＲ構成の受信機構成で起こるようなＤＣカットによる受信品質の劣化は無い。
【０１００】
しかしながら、第２受信モード時の第１のＬｏｗ−ＩＦ受信機構成では、Ａ／Ｄ変換部１０７ａ，１０７ｂに、希望波とイメージ周波数帯の非希望波である妨害波とが入力するため、Ｕ／Ｄ比が大きい場合、Ａ／Ｄ変換部１０７ａ，１０７ｂでの量子化雑音によって希望波の受信品質が劣化する。
【０１０１】
第２受信モード時の第１のＬｏｗ−ＩＦ受信機構成においては、アナログベースバンド帯域をＤＣＲ構成に比べ広く取る必要があり、Ｉ・Ｑの２系統の第１及び第２のアナログベースバンド系１１５ａ，１１５ｂが必要となって消費電力が大きくなる。
【０１０２】
また、第３受信モード時の第２のＬｏｗ−ＩＦ受信機構成においては、第２受信モード時の第１のＬｏｗ−ＩＦ受信機構成と同様に、ＩＦ信号をＡ／Ｄ変換するので、第１受信モード時のＤＣＲ構成で起こるようなＤＣカットによる受信品質の劣化は無い。
【０１０３】
しかしながら、第３受信モード時の第２のＬｏｗ−ＩＦ受信機構成では、Ａ／Ｄ変換部１０７ａ，１０７ｂに、希望波とイメージ周波数帯の非希望波である妨害波が入力し、イメージ周波数帯成分を抑圧できないため、非希望波である妨害波のイメージ成分と希望波とのレベル比が変調仕様によって決定される一定の値以上である場合には受信品質が劣化する。
【０１０４】
なお、第３受信モード時の第２のＬｏｗ−ＩＦ受信機構成においては、アナログベースバンド系は、第１のアナログベースバンド系１１５ａの１系統のみでよいので、消費電力は小さくなる。
【０１０５】
次に、本例の受信機１００の動作について説明する。
【０１０６】
本例の受信機１００は、ユーザの要望及び通信環境に応じて、例えば、「２０ＭＨｚ」、「１０ＭＨｚ」、「５ＭＨｚ」、「２．５ＭＨｚ」、「１．２５ＭＨｚ」の各信号帯域幅を切り換える通信システムに用いられる。
【０１０７】
受信機１００は、例えば、図９に示すフローチャートに従って動作してデータ受信処理を実行する。なお、このデータ受信処理は、通信システムのシーケンスの一部のみを示すものである。
【０１０８】
図９において、受信機１００の動作がスタートすると、データ受信処理が開始される（ステップＳＴ９０１）。
【０１０９】
ここで、受信機１００のデータ受信処理の開始時には、予め受信した制御信号情報により設定帯域幅は既知となっている。
【０１１０】
次いで、受信機１００の受信帯域幅がどのような設定帯域幅であるかを判断する（ステップＳＴ９０２）。
【０１１１】
ここで、受信機１００の設定帯域幅が最大帯域幅（２０ＭＨｚ）の場合には、制御部１１３の制御により第１受信モードを選択して、ダイレクトコンバージョン受信機構成（ＤＣＲ構成）を採る（ステップＳＴ９０３）。
【０１１２】
また、ステップＳＴ９０２において、受信機１００の受信帯域幅が最大帯域幅の１／２以下の場合には、妨害波比ａの測定を行う（ステップＳＴ９０４）。この妨害波比ａの測定は、例えば可変ローパスフィルタ帯域幅を広くして、ＯＦＤＭ復調部１１２において広帯域幅にてＦＦＴ処理し、各周波数のサブキャリアのレベルを求めることにより容易に測定可能である。
【０１１３】
次いで、ステップＳＴ９０４での妨害波比ａの測定結果に基づいて、妨害波比（Ｕ／Ｄ比）ａの閾値Ｘ、Ｙに対するレベルを判定する（ステップＳＴ９０５）。ここで、閾値Ｘ、Ｙは、設定された変調方式より受信機１００に備えられた図示しないメモリ内のテーブルを参照して決定する。
【０１１４】
ステップＳＴ９０５において、例えば、設定変調波条件より選択される閾値が、「Ｘ＝２０ｄＢ」、「Ｙ＝−１０ｄＢ」であるとした場合、希望波信号の設定帯域幅が「１０ＭＨｚ」以下、妨害波比（Ｕ／Ｄ比）ａが、「２０ｄＢ」以下（Ｘ≧ａ）の場合には、制御部１１３の制御により第１受信モードを選択して、ダイレクトコンバージョン受信機構成（ＤＣＲ構成）を採る（ステップＳＴ９０６）。
【０１１５】
また、妨害波比（Ｕ／Ｄ比）ａが、「−１０ｄＢ」以下（ａ≦Ｙ）の場合には、制御部１１３の制御により第２受信モードを選択して、第１のＬｏｗ−ＩＦ受信機構成を採る（ステップＳＴ９０７）。
【０１１６】
また、妨害波比（Ｕ／Ｄ比）ａが、「２０ｄＢ」未満から「−１０ｄＢ」より大きい範囲（Ｘ＞ａ＞Ｙ）の場合においては、制御部１１３の制御により第３受信モードを選択して、第２のＬｏｗ−ＩＦ受信機構成を採る（ステップＳＴ９０８）。
【０１１７】
このように、本例の受信機１００は、上述のフローチャートに沿って決定した第１受信モード、第２受信モード、及び第３受信モードの何れかの受信モードの受信機構成に切り換えた後、データ信号受信を開始する（ステップＳＴ９０９）。
【０１１８】
上述のように、本例の受信機１００によれば、妨害波比（Ｕ／Ｄ比）ａに応じて、第１受信モード、第２受信モード、及び第３受信モードの何れかの受信モードの受信機構成に容易に切り換えることができる。
【０１１９】
従って、本例の受信機１００においては、Ｕ／Ｄ比ａが閾値Ｘより低い場合には、第２受信モードもしくは第３受信モードの第１又は第２のＬｏｗ−ＩＦ受信機構成を採り、Ｕ／Ｄ比ａが閾値Ｘより大きい場合には第１受信モードのＤＣＲ構成を採ることで、無線部での妨害波による信号品質劣化（スループット劣化）を抑えることができる。
【０１２０】
また、本例の受信機１００は、第２受信モード時もしくは第３受信モード時に、イメージ抑圧を受信機仕様に必須なＦＦＴ処理で行うことで、従来必要だったイメージリジェクションフィルタをなくすことができ、装置の小型化を図ることができる。
【０１２１】
また、本例の受信機１００は、Ｕ／Ｄ比ａが閾値Ｙより低い場合には、第３受信モードの第２のＬｏｗ−ＩＦ受信機構成を採ることで、低消費電力化を図ることができる。
【０１２２】
また、本例の受信機１００は、変調信号に応じて閾値を変えることで、第３受信モードの第２のＬｏｗ−ＩＦ受信機構成での使用時間を多くすることができ、低消費電力化を図ることができる。
【０１２３】
なお、本例の受信機１００においては、フィルタの切り換えによってＡ／Ｄ変換部１０７ａ、１０７ｂへの信号入力レベルが変化するのは明白であり、Ａ／Ｄ変換部１０７ａ、１０７ｂへの信号入力レベルの変化量が推定できる場合には、ＡＧＣ部１０６ａ，１０６ｂも切り換えることが望ましい。
【０１２４】
また、図１に示した受信機１００においては、帯域可変ローパスフィルタ１０５ａ，１０５ｂをＡＧＣ部１０６ａ，１０６ｂの前段に配置したが、ＡＧＣ部１０６ａ，１０６ｂの位置によって本受信機構成の効果が変化することはなく、帯域可変ローパスフィルタ１０５ａ，１０５ｂとＡＧＣ部１０６ａ，１０６ｂとの位置は図１に示した位置に限定されるものではない。
【０１２５】
また、本例の受信機１００においては、第１及び第２のアナログベースバンド系１１５ａ，１１５ｂのＡ／Ｄ変換部１０７ａ，１０７ｂ、又はディジタル直交復調部１１１から入力された信号を、ＯＦＤＭ復調部１１２でＦＦＴ処理等を行って復調するようにしているが、この復調部は、ディジタルベースバンド復調処理を行うことで、受信データを得るディジタルベースバンド復調部であればどのようなものであってもよい。
【０１２６】
また、制御部１１３は、受信信号が広帯域信号か狭帯域信号かに応じて、前記第１から第３の受信モードを切り替え制御するようにしてもよい。
【０１２７】
（実施の形態２）
本発明の実施の形態２に係る受信機は、検波部が受信信号１フレーム中の予め指定した一部のＯＦＤＭシンボルを受信した時に妨害波比を測定し、その測定結果の情報に基づいて受信機構成を決定することを特徴としている。
【０１２８】
図１０に、一般的なＯＦＤＭ信号のフレームフォーマットを示す。
【０１２９】
ＯＦＤＭ信号の１フレームは、２０サブフレームより構成されており、１サブフレームは、図１０に示すように、７つのＯＦＤＭシンボルを持っている。
【０１３０】
また、ＯＦＤＭシンボルには、既知のリファレンス信号情報を持つリファレンスシンボルとデータ信号情報を持つデータシンボルがある。
【０１３１】
本例の受信機においては、毎サブフレームにおいてリファレンスシンボル時に、前述した第２受信モードの第１のＬｏｗ−ＩＦ受信機構成にて受信してＯＦＤＭ復調するとともに、妨害波比（Ｕ／Ｄ比）ａを測定する。
【０１３２】
そして、次シンボル以降のデータ信号の妨害波比ａが閾値Ｘより大きい場合には第１受信モードのＤＣＲ構成を採り、妨害波比ａが閾値Ｙより小さい場合には第３受信モードの第２のＬｏｗ−ＩＦ受信機構成を採り、それ以外の場合には第２受信モードの第１のＬｏｗ−ＩＦ受信機構成を継続する。
【０１３３】
一般に、最初の第２受信モードの第１のＬｏｗ−ＩＦ受信機構成での妨害波比ａの測定時において、妨害波比ａが閾値Ｘより大きい場合、ＡＤ変換での量子化雑音により希望波に割り当てられるダイナミックレンジが小さくなり、希望波の受信品質が劣化する。
【０１３４】
しかしながら、ＯＦＤＭ信号においては、リファレンス信号情報は、データ信号と比較してロバスト性が高く、更にリファレンス信号が復調できない場合においても、前後（時間軸上及び周波数軸上）のサブフレームのリファレンス信号より推測することができるので受信品質の劣化を非常に小さくできる。
【０１３５】
従って、本例の受信機によれば、受信したＯＦＤＭ信号の一部のＯＦＤＭシンボル受信時に妨害波比ａの測定を行うことにより、受信信号品質の劣化を招くこと無く、低消費電力化を実現することができる。
【０１３６】
（実施の形態３）
本発明の実施の形態３に係る受信機は、最大帯域幅設定時においては帯域制限をＲＦ帯域のフィルタで行い、可変帯域ローパスフィルタをＯＦＦしてスルーすることで低消費電力化を図ることを特徴としている。
【０１３７】
図１１は、本発明の実施の形態３に係る受信機の構成を示すブロック図である。なお、図１１に示す受信機１１００において、図１に示した受信機１００と共通する構成部分には、図１と同一の符号を付してその説明を省略する。
【０１３８】
図１１に示すように、本例の受信機１１００は、図１に示した受信機１００のアンテナ共用部１０２と、可変帯域ローパスフィルタ部１０５ａ，１０５ｂと、制御部１１３とに替えて、最大帯域幅分の帯域制限を行うアンテナ共用部１１０２と、スイッチＳＷａ，ＳＷｂのＯＮ／ＯＦＦによるスルー機能を持った可変帯域ローパスフィルタ部１１０５ａ、１１０５ｂと、制御部１１１３とを備えた構成を採る。
【０１３９】
第３世代移動体通信の仕様において、移動局の周波数帯域幅は、２１１０ＭＨｚ〜２１７０ＭＨｚの６０ＭＨｚ分の帯域がある。
【０１４０】
しかしながら、現状では、この６０ＭＨｚ分の帯域を３つの事業者が２０ＭＨｚ毎に分割して使用しており、１つの事業者が最大帯域幅として使用できるＲＦ周波数は予め決まっている。
【０１４１】
一般に、ＲＦ帯域での可変フィルタは、細かな切り換え制御を行う場合には、回路規模の増加、通過ロスの増加となる。
【０１４２】
そこで、本例の受信機１１００のアンテナ共用部１１０２においては、通過帯域を１つの事業者が使用する周波数帯域幅とする。
【０１４３】
また、制御部１１１３は、帯域可変ローパスフィルタ部１１０５ａ、１１０５ｂの電源を、スイッチＳＷａ，ＳＷｂのＯＮ／ＯＦＦにより、ＯＮ／ＯＦＦ制御できるように構成する。
【０１４４】
次に、本例の受信機１１００の動作について説明する。
【０１４５】
図１１において、本例の受信機１１００は、最大帯域幅の信号を受信する時、可変帯域ローパスフィルタ１１０５ａ、１１０５ｂの電源を制御部１１１３の制御によりＯＦＦしてスルー構成にする。
【０１４６】
また、本例の受信機１１００は、最大帯域幅設定時においては前述した第１受信モードのＤＣＲ受信機構成に固定した構成を採り、妨害波比ａが大きい場合においては妨害波をアンテナ共用部１１０２にて抑圧する。
【０１４７】
このように、本例の受信機１１００によれば、ＲＦ帯域にて信号の帯域制限を行うことで、ベースバンド帯域の可変帯域ローパスフィルタを使用せずに信号受信することができる。
【０１４８】
これにより、本例の受信機１１００においては、可変帯域ローパスフィルタ部１１０５ａ、１１０５ｂの消費電力を削減でき、低消費電力化を図ることができる。
【０１４９】
本発明の第１の態様に係る受信機は、マルチバンドの受信信号を復調する受信機であって、アナログ受信信号を直交復調するアナログ直交復調部と、ディジタル変換された受信信号を直交復調するディジタル直交復調部と、前記アナログ直交復調部と前記ディジタル直交復調部との間に設けられ、前記アナログ直交復調部によって得られた２系統の直交信号それぞれに対して、アナログベースバンド処理を施す第１及び第２のアナログベースバンド処理部と、ディジタルベースバンド復調処理を行うことで、受信データを得るディジタルベースバンド復調部と、受信モードを、・第１の受信モード：前記アナログ直交復調部のローカル信号周波数を希望波の中心周波数に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、・第２の受信モード：前記アナログ直交復調部のローカル信号周波数を希望波のサイド周波数乃至前記希望波外に設定し、かつ前記第１及び第２のアナログベースバンド処理部の両方を動作させ前記第１及び第２のアナログベースバンド処理部により得られた信号を前記ディジタルベースバンド復調部に供給し、かつ前記ディジタル直交復調部を動作停止させるモード、・第３の受信モード：前記アナログ直交復調部のローカル信号周波数を希望波の中心周波数に設定し、かつ前記第１又は第２のアナログベースバンド処理部の一方のみを動作させ、かつ前記ディジタル直交処理部を動作させ前記ディジタル直交処理部により得られた信号を前記ディジタルベースバンド復調部に供給するモード、のいずれかに切り替える制御部と、を具備する構成を採る。
【０１５０】
この構成によれば、前記受信機構成切替手段により、希望波と妨害波との妨害波比に応じて前記各受信モードを切り換えることにより、妨害波による信号品質の劣化を抑えつつ低消費電力化を図ることができる。
【０１５１】
本発明の第２の態様に係る受信機は、前記第１の態様において、前記制御部は、前記ディジタルベースバンド復調部により得られた希望波と非希望波とのレベル比に基づいて、前記第１から第３の受信モードを切り替え制御する構成を採る。
【０１５２】
この構成によれば、無線部での妨害波による信号品質劣化（スループット劣化）を抑えることができる。また、前記第２及び第３受信モードのＬｏｗ−ＩＦ受信機構成を採り、イメージ抑圧を受信機仕様に必須なＦＦＴ処理で行うことで、従来必要だったイメージリジェクションフィルタをなくすことができ、装置の小型化を図ることができる。また、第３受信モードの第２のＬｏｗ−ＩＦ受信機構成を採ることで、低消費電力化を図ることができる。
【０１５３】
本発明の第３の態様に係る受信機は、前記第１の態様において、前記制御部は、受信信号が広帯域信号か狭帯域信号かに応じて、前記第１から第３の受信モードを切り替え制御する構成を採る。
【０１５４】
この構成によれば、受信信号が広帯域信号か狭帯域信号かに応じて、前記第１から第３の受信モードを切り替え制御して、前記各受信機構成を選択的に構成することができる。
【０１５５】
本発明の第４の態様に係る受信機は、前記第１の態様において、前記ディジタルベースバンド復調部は、ＯＦＤＭ信号を復調するＯＦＤＭ復調部であり、前記制御部は、受信したＯＦＤＭ信号のフレーム構成情報を基に設定した一部のＯＦＤＭシンボル受信時に、前記ＯＦＤＭ復調部により得られた前記希望波と非希望波とのレベル比に基づいて、前記第１から第３の受信モードを切り替え制御する構成を採る。
【０１５６】
この構成によれば、前記一部のＯＦＤＭシンボル受信時に測定した希望波と妨害波のレベル比に応じて、前記第１から第３の受信モードを切り替え制御して、前記各受信機構成を選択的に構成することができる。
【０１５７】
本発明の第５の態様に係る受信機は、前記第１の態様において、前記第１及び第２のアナログベースバンド処理部は、信号の最大帯域幅の周波数帯域のみを通過させる高周波フィルタと、前記無線信号の帯域幅に応じてフィルタ通過帯域を切り換えて前記ベースバンド信号の帯域外の信号成分を減衰させ且つ最大帯域幅の信号の受信時にフィルタ処理を行わないスルー機能を有する可変帯域フィルタと、を具する構成を採る。
【０１５８】
この構成によれば、前記可変帯域フィルタ手段のスルー機能によりフィルタ処理を行わないようにすることで、低消費電力化を図ることができる。
【産業上の利用可能性】
【０１５９】
本発明に係る受信機及び受信方法は、帯域幅を制御して通信するシステムにおいて、受信品質を劣化させることなく、低消費電力化を図ることができるので、ユーザの要求及び通信環境に応じて信号の帯域幅を制御して通信する次世代移動体通信システムにおけるマルチバンド受信機として有用である。
【図面の簡単な説明】
【０１６０】
【図１】本発明の実施の形態１に係る受信機の構成を示すブロック図
【図２】本発明の実施の形態１に係る受信機のダイレクトコンバージョン受信モード時の受信機構成を示すブロック図
【図３】本発明の実施の形態１に係る受信機の第１のＬｏｗ−ＩＦ受信モード時の受信機構成を示すブロック図
【図４】本発明の実施の形態１に係る受信機の第２のＬｏｗ−ＩＦ受信モード時の受信機構成を示すブロック図
【図５】図２に示すダイレクトコンバージョン受信モード時の信号スペクトラム図
【図６】図３に示す第１のＬｏｗ−ＩＦ受信モード時の信号スペクトラム図
【図７】図４に示す第２のＬｏｗ−ＩＦ受信モード時の信号スペクトラム図
【図８】図２に示すダイレクトコンバージョン受信モード時の受信機構成、図３に示す第１のＬｏｗ−ＩＦ受信モード時の受信機構成、図４に示す第２のＬｏｗ−ＩＦモード時の受信機構成のそれぞれの特徴を示す表
【図９】本発明の実施の形態１に係る受信機の動作を示すフローチャート
【図１０】本発明の実施の形態２に係る受信機において受信する一般的なＯＦＤＭ信号のフレーム構成図
【図１１】本発明の実施の形態３に係る受信機の構成を示すブロック図
【図１２】従来の可変帯域ディジタルフィルタを備えたＬｏｗ−ＩＦ方式の受信機の構成を示すブロック図
【図１３】従来の他のＬｏｗ−ＩＦ方式の受信機の構成を示すブロック図
【図１４】図１２に示す従来のＬｏｗ−ＩＦ方式の受信機の信号スペクトラム図
【図１５】従来のダイレクトコンバージョン方式の受信機の構成を示すブロック図
【図１６】図１５に示す従来のダイレクトコンバージョン方式の受信機のフィルタ特性図
【図１７】図１５に示す従来のダイレクトコンバージョン方式の受信機の信号スペクトラム図
【符号の説明】
【０１６１】
１００，１１００  受信機
１０１  アンテナ
１０２，１１０２  アンテナ共用部
１０３  低雑音増幅部
１０４  直交復調部
１０５ａ，１０５ｂ，１１０５ａ，１１０５ｂ  可変帯域ローパスフィルタ部
１０６ａ，１０６ｂ  ＡＧＣ部
１０７ａ，１０７ｂ  Ａ／Ｄ変換部
１０８  ディジタル信号処理部
１１０  スイッチ部
１１１  ディジタル直交復調部
１１２  ＯＦＤＭ復調部
１１３，１１１３  制御部
１１４  検波部
１１５ａ  第１のアナログベースバンド系
１１５ｂ  第２のアナログベースバンド系
【図１】
2008098785.tif 000003
【図２】
2008098785.tif 000004
【図３】
2008098785.tif 000005
【図４】
2008098785.tif 000006
【図５】
2008098785.tif 000007
【図６】
2008098785.tif 000008
【図７】
2008098785.tif 000009
【図８】
2008098785.tif 000010
【図９】
2008098785.tif 000011
【図１０】
2008098785.tif 000012
【図１１】
2008098785.tif 000013
【図１２】
2008098785.tif 000014
【図１３】
2008098785.tif 000015
【図１４】
2008098785.tif 000016
【図１５】
2008098785.tif 000017
【図１６】
2008098785.tif 000018
【図１７】
2008098785.tif 000019